(57)【要約】【課題】接着剤が掻き落とされるのを防止するとともに、軒樋接合の作業を効率よく行うことのできる軒樋継手を提供する。【解決手段】底壁と底壁両側の内側壁および外側壁とからなる断面略Ｕ字状の２つの軒樋を互いに接合する軒樋継手１２であって、この軒樋継手１２は、軒樋の接合部に配置され底壁の内面および内側壁の内面に固定される断面略Ｌ字型の固定部材１３と、固定部材１３の上面に設けられ軒樋接合時に外側壁の内面に固定される可動部材１４と、可動部材１４を固定部材１３の上面に摺動自在に連結する連結手段とを備えている。【選択図】        図１
2004353339.tif 000002
【特許請求の範囲】
【請求項１】
底壁と該底壁両側の内側壁および外側壁とからなる断面略Ｕ字状の２つの軒樋を互いに接合する軒樋継手であって、
前記軒樋の接合部に配置され前記底壁の内面および前記内側壁の内面に固定される断面略Ｌ字型の固定部材と、
前記固定部材の上面に設けられ前記軒樋接合時に前記外側壁の内面に固定される可動部材と、
前記可動部材を前記固定部材の上面に摺動自在に連結する連結手段とを備えたことを特徴とする軒樋継手。
【請求項２】
請求項１に記載の軒樋継手において、
前記可動部材を前記外側壁の内面に固定したとき、前記可動部材の移動を規制するロック機構を設けたことを特徴とする軒樋継手。
【請求項３】
請求項１又は２に記載の軒樋継手において、
前記連結手段は、前記固定部材の上面に形成された突条または溝と、前記可動部材の下面に形成された溝または突条とからなり、前記固定部材上面の突条と前記可動部材下面の溝または前記固定部材上面の溝と前記可動部材下面の突条はあり溝嵌合されていることを特徴とする軒樋継手。
【発明の詳細な説明】
【０００１】
【発明の属する技術分野】
本発明は、２つの軒樋を長手方向から接合する軒樋継手に関する。
【０００２】
【従来の技術】
２つの軒樋を長手方向から接合する際、通常、軒樋継手が使用される。このような軒樋継手は、軒樋の内面形状に倣って形成された内継手と、軒樋の外面形状に倣って形成された外継手とを有し、２つの軒樋の端部を互いに当接させた状態で、軒樋内面に内継手を、軒樋外面に外継手をそれぞれ接着することにより、軒樋を長手方向から接合することができる。
【０００３】
ところで、内継手や外継手を接着する際には軒樋内面と軒樋外面に接着剤が塗布されるが、軒樋に内継手を装着するときに軒樋内面の接着剤が掻き落とされてしまうという問題がある。すなわち、内継手を接着する場合、軒樋端部内面に接着剤を塗布してから、軒樋内に内継手を収納するので、この収納時に内継手の一部が軒樋の開口端上部（耳部）に当たって、開口端上部に塗布された接着剤が掻き落とされてしまい、その結果、内継手の接着が不十分となる。
【０００４】
そこで、軒樋の開口端上部に２つの小さな突起を設けて、内継手収納時に開口端上部と内継手との間に隙間を形成することにより、内継手が接着剤に直接当たらないようにした軒樋継手が提案されている（例えば、特許文献１参照）。
【０００５】
【特許文献１】
特開平９−２０３１７１号公報
【０００６】
【発明が解決しようとする課題】
しかしながら、上記従来の技術では、軒樋の開口端上部に突起が設けられているので、施工時に突起が邪魔して作業し難く、指先を突起に引っ掛けてしまう恐れもあって、軒樋接合の作業を効率よく行うには問題がある。
【０００７】
本発明の課題は、接着剤が掻き落とされるのを防止するとともに、軒樋接合の作業を効率よく行うことのできる軒樋継手を提供することにある。
【０００８】
【課題を解決するための手段】
上記課題を解決するために、請求項１に記載の発明は、底壁と該底壁両側の内側壁および外側壁とからなる断面略Ｕ字状の２つの軒樋を互いに接合する軒樋継手であって、前記軒樋の接合部に配置され前記底壁の内面および前記内側壁の内面に固定される断面略Ｌ字型の固定部材と、前記固定部材の上面に設けられ前記軒樋接合時に前記外側壁の内面に固定される可動部材と、前記可動部材を前記固定部材の上面に摺動自在に連結する連結手段とを備えたことを特徴としている。
【０００９】
上記構成によれば、可動部材は連結手段によって固定部材の上面に摺動自在に連結されているので、可動部材全体が固定部材上に載置されたコンパクトな軒樋継手を実現できる。そして、軒樋接合時には、軒樋端部内面に接着剤を塗布した後、軒樋継手を上方から軒樋内に収納する。軒樋継手を軒樋内に収納したら、固定部材を軒樋の底壁内面および内側壁内面に密着させ、さらに接着剤で固定する。次に、可動部材を固定部材上で外側壁に向かって摺動させ、可動部材を外側壁の内面に密着させ、同様に接着剤を用いて固定する。これにより、２つの軒樋を互いに強固に接合することができる。
【００１０】
請求項２に記載の発明は、請求項１において、前記可動部材を前記外側壁の内面に固定したとき、前記可動部材の移動を規制するロック機構を設けたことを特徴としている。このようなロック機構を設けておけば、接着剤が乾くまでの間、可動部材を外側壁に密着させることができ、軒樋の接合をより強固なものにすることができる。
【００１１】
請求項３は連結手段の具体的構成についての発明である。すなわち、請求項３に記載の発明は、請求項１又は２において、前記連結手段は、前記固定部材の上面に形成された突条または溝と、前記可動部材の下面に形成された溝または突条とからなり、前記固定部材上面の突条と前記可動部材下面の溝または前記固定部材上面の溝と前記可動部材下面の突条はあり溝嵌合されていることを特徴としている。
【００１２】
【発明の実施の形態】
以下、本発明の実施の形態を図面に従って説明する。
先ず、本発明に係る軒樋継手によって接合される軒樋を図４に示す。図４において、２つの軒樋１，２が設けられ、これら軒樋１，２の端部同士が接合される。符号３は軒樋１，２の接合面である。なお、軒樋１，２は全体が合成樹脂で形成されている。
【００１３】
軒樋１と軒樋２は同じ形状をなしており、底壁４と、底壁４の両側に設けられた内側壁５および外側壁６とを有し、断面が略Ｕ字状に形成されている。ここで、内側壁５は建物に近い側に配置され、外側壁６は建物から遠い側に配置される。
【００１４】
底壁４は中央部が下方に僅かに突出した円弧状をなしている。内側壁５は略平坦に形成され、その上部には軒樋内側へ突出した凸部７が設けられている。この凸部７は軒樋１，２の長手方向に沿って連続して設けられており、凸部７表面が軒接触面となっている。
【００１５】
外側壁６は全体が軒樋外側に突出した円弧状に形成され、その下部には段部８が設けられている。また、外側壁６の上部には軒樋内側に突出した凸部９，１０が設けられている。段部８と凸部９，１０は軒樋１，２の長手方向に沿って連続して設けられている。
【００１６】
凸部９は断面が三角形に形成され、また凸部１０は先端が下方に折り曲げられており、これら凸部９，１０によって、入口が狭く内部が広い係合溝１１が形成されている。
【００１７】
図１および図３は本発明に係る軒樋継手１２を示している。軒樋継手１２は、図３に示すように、固定部材１３と可動部材１４とから構成されている。固定部材１３は断面形状が略Ｌ字型であり、横板部１５と、この横板部１５の一側に立設された縦板部１６とを有している。横板部１５は軒樋１，２の底壁４に、縦板部１６は軒樋１，２の内側壁５に倣った形状に形成されている。また、横板部１５の上面には断面逆台形の突条１７が軒樋１，２の幅方向に沿って設けられている。
【００１８】
可動部材１４は横板部１８と縦板部１９とを有し、横板部１８が固定部材１３の横板部１５上面に載置される（図１参照）。横板部１８は固定部材１３の横板部１５上面に倣った形状に形成されている。
【００１９】
縦板部１９は軒樋１，２の外側壁６に倣った形状に形成されている。すなわち、縦板部１９は全体が軒樋外側に突出した円弧状に形成され、その下部には、外側壁６の段部８に合わせて段部２０が設けられている。縦板部１９の上部には、外側壁６の凸部９に合わせて凹部２１が設けられ、さらに凹部２１の上方には外側壁６の係合溝１１に合わせて係合凸部２２が設けられている。
【００２０】
また、横板部１８の下面には断面逆台形の溝２３が軒樋１，２の幅方向に沿って形成されている。この溝２３は、図５に示すように、固定部材１３の横板部１５上に設けられた突条１７の形状に合わせて形成されており、突条１７を軸方向（図５の紙面垂直方向）から溝２３内にあり溝嵌合することができる。ここでは、突条１７と溝２３は連結手段を構成し、突条１７がありで、溝２３があり溝となっている。
【００２１】
さらに、固定部材１３の横板部１５上面には、図２に示すように、縦板部１６に近い側にロック機構２４が設けられている。このロック機構２４は、横板部１５に固定された支軸２５と、支軸２５に矢印Ａ１，Ａ２方向に回動自在に取り付けられたロックレバー２６とを備えている。
【００２２】
次に、上記構成の軒樋継手１２を用いて軒樋１，２を接合する際の手順について説明する。
【００２３】
予め固定部材１３と可動部材１４とを連結しておく。すなわち、可動部材１４の横板部１８底面の溝２３内に固定部材１３の横板部１５上面の突条１７を嵌合させ、固定部材１３と可動部材１４とを連結しておく。突条１７と溝２３は共に断面形状が逆台形であるから、固定部材１３と可動部材１４とを連結させると、固定部材１３および可動部材１４は突条１７や溝２３に沿って互に摺動することが許容されるだけとなる。そして、突条１７と溝２３との嵌合を解かない限り、可動部材１４は固定部材１３から分離することができなくなる。
【００２４】
一方、軒樋１，２の内面には接合面３近傍に接着剤を塗布しておく。そして、図８に示すように固定部材１３と可動部材１４とが互に連結された状態で、固定部材１３の縦板部１６上部を内側壁５の凸部７下側に引っ掛けながら、軒樋継手１２全体を矢印Ｂ方向に回動させて、図９に示すように軒樋継手１２全体を軒樋１，２内に収納する。このとき、軒樋継手１２全体を軒樋１，２内面に押し付けることにより、固定部材１３の横板部１５を底壁４に、縦板部１６を内側壁５にそれぞれ接着させて固定することができる。
【００２５】
次に、軒樋継手１２の可動部材１４を矢印Ｃ方向に摺動させる。すると、図１０に示すように、可動部材１４は外側壁６内面に密着する。このとき、縦板部１９の段部２０が外側壁６の段部８に係合するとともに、縦板部１９の凹部２１に外側壁６の凸部９が嵌合する。また、縦板部１９の係合凸部２２が外側壁６の係合溝１１に係合する。軒樋継手１２は、弾性を有する合成樹脂で形成されており、係合凸部２２は容易に変形して係合溝１１に係合することができる。
【００２６】
上記のようにして可動部材１４が外側壁６内面に密着すると、軒樋１，２の内面には予め接着剤が塗布されているので、この接着剤によって可動部材１４は外側壁６に接着される。
【００２７】
本実施の形態によれば、可動部材１４が固定部材１３の横板部１５上に載置された状態で、軒樋継手１２全体が軒樋１，２内に収納されるので、収納時に、軒樋継手１２が外側壁６上部の凸部１０等に接触することはない。その結果、凸部１０等に塗布された接着剤が掻き落とされることはなく、良好な接着状態を確保できる。
【００２８】
また、予め接着剤が塗布された軒樋１，２内に軒樋継手１２を収納し、可動部材１４を所定方向に摺動させるだけでよいから、軒樋１，２の接合作業を効率よく行うことができる。
【００２９】
さらに、本実施の形態では、図２に示すようなロック機構２４が設けられているので、可動部材１４を外側壁６内面に密着させたときに、ロック機構２４のロックレバー２６を矢印Ａ２方向に回動させることにより、ロックレバー２６の先端が可動部材１４の横板部１８端部に当接し、可動部材１４をロックすることができる。このとき、可動部材１４の縦板部１９は外側壁６内面に、固定部材１３の縦板部１６は内側壁５内面にそれぞれ押し付けられる。接着剤が乾くまでにはある程度時間を要するので、ロック機構２４によって可動部材１４をロックすることにより、軒樋継手１２による軒樋１，２の接合をより完全なものとすることができる。
【００３０】
なお、固定部材１３と可動部材１４とを連結する手段としては、図５に示した構成とは逆に、固定部材１３の横板部１５上面には断面逆台形の溝が、可動部材１４の横板部１８下面には前記溝にあり溝嵌合する断面逆台形の突条がそれぞれ軒樋１，２の幅方向に沿って形成されたものでもよい。
【００３１】
また、図６に示すように、固定部材１４の横板部１５上面には断面Ｔ字型の突条３０が、可動部材１４の横板部１８下面には突条３０があり溝嵌合する断面Ｔ字型の溝３１がそれぞれ軒樋１，２の幅方向に沿って形成されたものでもよい。
この場合も、図６に示した構成とは逆に、固定部材１３の横板部１５上面には断面Ｔ字型の溝が、可動部材１４の横板部１８下面には前記溝にあり溝嵌合する断面Ｔ字型の突条がそれぞれ軒樋１，２の幅方向に沿って形成されたものでもよい。
【００３２】
さらに、図７に示すように、固定部材１４の横板部１５上面には断面く字型の突条３２が、可動部材１４の横板部１８下面には突条３２があり溝嵌合する断面く字型の溝３３がそれぞれ軒樋１，２の幅方向に沿って形成されたものでもよい。この場合も、図７に示した構成とは逆に、固定部材１３の横板部１５上面には断面く字型の溝が、可動部材１４の横板部１８下面には前記溝にあり溝嵌合する断面く字型の突条がそれぞれ軒樋１，２の幅方向に沿って形成されたものでもよい。
【００３３】
【発明の効果】
以上説明したように、本発明によれば、可動部材を固定部材上に載置して、軒樋継手をコンパクトにした状態で軒樋内に収納することができるので、収納時に軒樋継手が軒樋の開口端部に接触することはなく、軒樋内面の接着剤が掻き落とされるのを未然に防止することができる。その結果、軒樋接合の作業を効率よく行うことが可能となる。
【図面の簡単な説明】
【図１】本発明に係る軒樋継手の斜視図である。
【図２】図１のａ部の拡大斜視図である。
【図３】図１に示した軒樋継手の分解斜視図である。
【図４】互に接合される２つの軒樋の斜視図である。
【図５】固定部材の突条と可動部材の溝が断面逆台形の場合の説明図である。
【図６】固定部材の突条と可動部材の溝が断面Ｔ字型の場合の説明図である。
【図７】固定部材の突条と可動部材の溝が断面く字型の場合の説明図である。
【図８】軒樋接合時に軒樋継手を軒樋内に収納する様子を示した図である。
【図９】図８の続きであり、軒樋継手を軒樋内に収納した様子を示した図である。
【図１０】図９の続きであり、軒樋継手で軒樋を接合した様子を示した図である。
【符号の説明】
１，２  軒樋
３  接合面
４  底壁
５  内側壁
６  外側壁
１２  軒樋継手
１３  固定部材
１４  可動部材
１７  断面逆台形の突条
２３  断面逆台形の溝
２４  ロック機構
３０  断面Ｔ字型の突条
３１  断面Ｔ字型の溝
３２  断面く字型の突条
３３  断面く字型の溝
【図１】
2004353339.tif 000003
【図２】
2004353339.tif 000004
【図３】
2004353339.tif 000005
【図４】
2004353339.tif 000006
【図５】
2004353339.tif 000007
【図６】
2004353339.tif 000008
【図７】
2004353339.tif 000009
【図８】
2004353339.tif 000010
【図９】
2004353339.tif 000011
【図１０】
2004353339.tif 000012